(57)【要約】      （修正有）【課題】握力のない人でも簡単に扱え、利用者や箇所を選ばないサポータの提供。【解決手段】サポータの形状を帯状にし、サポート力を強化するため粘弾素材を挟むもしくは包み込むことを考えた。サポータを固定する位置が制約されないためにサポータの表面もしくは両面に、ループ状面ファスナー機能を配し、固定する力を強くするためにフック状面ファスナーを少なくも２面設けた。締める力を調整するためリング状止具を、任意の場所で固定できるために長さの調整具を設けた。サポータに取り付け取り外しが簡単にできるように、板状部材やパット材にフック状面ファスナーを配することとした。肩のより良いサポート方法とした。【選択図】図１
2008231650.tif 000002
【特許請求の範囲】
【請求項１】
粘弾効果の高い素材（ポリウレタン１００％の粘弾性高分子化合物もしくは同等に近い素材など）を包み込む又は挟み込んだ伸縮帯もしくは非伸縮帯の表面もしくは両面に、ループ状面ファスナー機能を配した一本の平帯状のサポータの一端に、フック状面ファスナーを少なくも２面、ループ面に対向するように取着し、その反対側端部にリング状止具を取着したことを特徴とする体巻きしめタイプのサポータ。
【請求項２】
前記サポータは長さ太さを変えることにより、全身の幅広い部位を巻きしめられることを特徴とした請求項１に記載の体巻きしめタイプのサポータ。
【請求項３】
１項及び２項に記載のサポータのリング状止具を取着した側に、長さを無段階に調整可能な調整具を取り付け、サポータの任意の場所で固定可能とすることを特徴とした請求項１または請求項２に記載の体巻きしめタイプのサポータ。
【請求項４】
３項に記載の長さ調整可能に活用された請求項１又は請求項２に記載されたサポータの表面を上にして、リング状止具取着部分を左肩鎖骨付近におき、延長部分を首に回し右脇を介して背中で交差させ、リング状止具のリング部分に通した後、左脇を介して背中を一文字に渡し、右脇を介して右肩鎖骨付近で固定することを特徴とした体巻きしめタイプのサポータの装着方法。
【請求項５】
１項から３項に記載のサポータは表面もしくは両面にループ状面ファスナー機能を配したことを特徴としているので、フック状面ファスナー機能を配した板状部材やパット材を取り付け自由自在とすることを特徴とした請求項１から３項に記載の体巻きしめタイプのサポータ。
１項から３項および５項に記載の、表面もしくは両面にループ状面ファスナー機能を配した体巻きしめタイプのサポータにあてる、取り外し自在な板状部材やパット材は、片面もしくは両面にフック状面ファスナー機能を配するか、または片面もしくは両面にフック状面ファスナー機能を配した袋状の繊維で被われることを特徴とした請求項１から３項および５項に記載の体巻きしめタイプのサポータにあてる板状部材やパット材。
【発明の詳細な説明】
【技術分野】
【０００１】本願発明は体の幅広い部位の運動機能を補助又は保護、矯正することを目的として、スポーツや医療にとどまらず、日常全般に使用する体巻きしめタイプのサポータとその活用方法、装着方法および取り付ける板状部材やパット材に関する。
【背景技術】
【０００２】健康的な身体機能を維持するために関節はかけがえのないものですが、関節には日常的に大きな力がかかっています。さらに、スポーツ、病気、加齢などにより骨や関節、それらを取り巻く筋肉や靭帯といった様々な運動器官にまで障害が生じることがあります。この場合外科的手術や薬物療法と並んで重要視されているのが運動療法であります。関節を動かすことで酸素や栄養素が関節軟骨の軟骨細胞に届けられ、いたんだ細胞を活性化させ、治る力を引き出すしくみとなっているからです。【０００３】関節、骨、筋肉といった運動器は運動することで保たれているため、弱ったこれら器官を保護、補助し、運動しやすくすることが重要であります。そのため多種多様なサポータが作られていますが、利用者や適用箇所を選ばないサポータとして、伸縮タイプの１本の平帯状のサポータが考えられ、特許文献１．４．５．６．７が開示されています。【０００４】体型を選ばない肩のサポータとしては特許文献２があり、背筋矯正のサポータとしては特許文献３があります。いずれも万人に適応できるサポータの必要性を感じてのものであります。
【特許文献１】特許公開２００５−１６３２０９
【特許文献２】特許公開２００３−２６５６７０
【特許文献３】特許公開２００２−２２４１５０
【特許文献４】特許公開２００５−２７９０４６
【特許文献５】登録実用新案第３０３１２６６号
【特許文献６】実用新案公開平５−３９３０８
【特許文献７】登録実用新案第３０９７１３２号
【発明の開示】
【発明が解決しようとする課題】
【０００５】一本の平帯のみですと、サポートする力が弱く、繰り返しの使用に耐えるだけの耐久性に乏しいと考えます。また、面ファスナー機能を一部分のみに配するだけでは、筋運動の大きな力を支えるには弱く、またサポータを固定する場所が制約されてしまう為しめにくいとも考えます。
【課題を解決するための手段】
【０００６】サポータを固定する位置が制約されないために、表面もしくは両面にループ状面ファスナー機能を配し、フック状面ファスナーを少なくも２面以上設けました。サポータを固定する力も強化できるのではないかと考えます。  面ファスナー素材は以前と異なり、より肌触りよく通気性の良いものが開発されています。【０００７】サポートする力を強化するため、粘弾効果の高い素材を包み込むもしくは挟み込むことで、繰り返しの使用にも耐える耐久性も上がり、関節運動に必要である適当な負荷をかけることもできます。巻きつけることに問題がないように薄くする等、加工を施し使用すると良いと考えています。【０００８】締める力を調整し、体に巻きつけやすくするためにリング状の止め具を取着しました。【０００９】任意の場所でサポータの固定が可能とするために、無段階に長さを調整可能とする調整具を取り付けるタイプも考えました。しめる部位によっては調整具が邪魔なことも考えられるので、つけるタイプとそうでないタイプを考えました。【００１０】添え木となる板状部材や、患部を保護するためのパット材は、ループ状面ファスナー機能を配したサポータに取り付け取り外しを自在とするために、フック状面ファスナー機能を両面もしくは片面に配するまたはフック状面ファスナー機能を両面もしくは片面に配した袋状の繊維で被う。
【発明の効果】
【００１１】肩に装着した場合肩甲骨を安定させる僧帽筋や、肩甲骨の外転．上方回旋を助ける前鋸筋、肩関節の内転．伸展．水平伸展を助ける広背筋など多くの筋肉をサポートすることができます。自然に姿勢がよくなるため、肩関節の屈曲や伸展．外転を助ける大胸筋も鍛えられ、脊椎のゆがみも改善できると考えます。圧迫されてかぶれやすい肩や脇などにはパットを取り付けることもできるため、装着時の違和感も小さなものとなります。長さの調整ができますので、手の届く範囲でサポータを固定することができるため、一人での着脱が容易であります。【００１２】他の人と兼用することができ、幅広い部位に利用可能であります。【００１３】関節を動かさずに筋肉を収縮させ、筋力を増やす等尺性筋収縮運動などに使用するベルト代わりともなります。【００１４】骨折や脱臼のリハビリとして患部の固定や運動がありますが、板状部材の取り外しが簡単にできるのでリハビリにも役立つと考えます。【００１５】着脱に力が要らないので、握力のなくなった方にも装着しやすいと考えます。
【発明を実施するための最良の形態】
【００１６】以下、本願発明を実施するための形態について図面を参照して説明致します。
【実施例】
【００１７】粘弾効果の高い素材（７）（ポリウレタン１００％の粘弾性高分子化合物もしくは同等に近い素材など）を包み込む又は挟み込んだ伸縮帯もしくは非伸縮帯の表面（２）もしくは両面（２．３）に、ループ状面ファスナー機能（１０）を配した一本の平帯状のサポータ（１）の一端に、フック状面ファスナー（４）を少なくも２面、ループ面（１０）に対向するように取着し、その反対側端部にリング状止具（５）を取着する。リング状止具（５）を取着した側に、長さを無段階に調整可能な調整具（６）を取着する。調整具（６）を取着しないタイプのサポータ（１）もあります。板状部材（８）やパット材（９）は、片面もしくは両面にフック状面ファスナー機能を配するか、または片面もしくは両面にフック状面ファスナー機能を配した袋状の繊維で被う。形状は特定しない。【００１８】サポータ（１）の肩への装着方法の一つは、サポータ（１）の表面（２）を上にして、リング状止具（５）取着部分を左肩鎖骨付近（イ）にお（２）を上にして、リング状止具（５）取着部分を左肩鎖骨付近（イ）におき、延長部分を首（ロ）に回し右脇（ハ）を介して背中で交差させ（ニ）左肩鎖骨付近（イ）に戻り、リング状止具（５）のリング部分に通した後、左脇（ホ）を介して背中（ヘ）を一文字に渡し、右脇（ハ）を介して右肩鎖骨付近（ト）等留めやすいところで固定する。試着した際に、自分の手の届く範囲でサポータ（１）が固定できるように調整具（６）で長さを調整する。【００１９】サポータを使って筋力を増やす等尺性筋収縮運動に使う一例
図７のように両膝をサポータで固定し、膝を広げるように力を入れる。
膝の筋力をつけることができます。
【産業上の利用可能性】
【００２０】高齢化に伴いこのようなサポータを希望する方はますます増加傾向にあり、産業上の利用の可能性はあると考えます。
【図面の簡単な説明】
【００２１】
【図１】表面にのみループ状面ファスナー機能を配したサポータの全体図  長さ調整具（６）付タイプ
【図２】サポータの断面図
【図３】肩への装着方法  Ａ正面図  Ｂ背面図    図１と同じタイプのサポータ
【図４】肘へ装着した状態  両面ループ状面ファスナータイプのサポータ  Ａ保護パットをつけた図  Ｂ板状部材をつけた図
【図５】膝へ装着した状態  両面ループ状面ファスナータイプのサポータ  Ａ保護パットをつけた図  Ｂ板状部材をつけた図
【図６】外反母趾対策用として、親指にパットをつけ、足裏にマメ用パットをつけた状態  両面ループ状面ファスナータイプのサポータ
【図７】サポータをベルト代わりにして、筋力をつける一例
【符号の説明】
【００２２】  １：サポータ
２：表面
３：裏面
４：フック状面ファスナー
５：リング状止具
６：調整具
７：粘弾素材
８：板状部材
９：パット材
１０：ループ状面ファスナー
イ：左肩鎖骨付近
ロ：首
ハ：右脇
ニ：サポータを交差した位置
ホ：左脇
ヘ：背中
ト：サポータを固定した位置
【図１】
2008231650.tif 000003
【図２】
2008231650.tif 000004
【図３】
2008231650.tif 000005
【図４】
2008231650.tif 000006
【図５】
2008231650.tif 000007
【図６】
2008231650.tif 000008
【図７】
2008231650.tif 000009